(57)【特許請求の範囲】
【請求項１】
本管の一部分を覆う略同心のスリーブ管を当該本管に対して溶接するスリーブ管隅肉溶接方法であって、
前記本管の外周面上で且つ当該外周面と前記スリーブ管の少なくとも一方の管端との環状の溶接箇所に周方向に沿って環状のビードを設ける工程と、
前記スリーブ管の前記管端と前記ビードとの間に所定の間隔を空け且つ前記本管の外周面と前記スリーブ管の内周面との間に所定の間隔を空けて当該スリーブ管を配置する工程と、
前記溶接箇所で前記本管の外周面と前記スリーブ管の前記管端と前記ビードとを周方向に沿って溶接する第１溶接工程と、
前記溶接箇所で且つ少なくとも前記第１溶接工程で作られた溶接部の径方向外側で前記本管側と前記スリーブ管側とを周方向に沿って溶接する第２溶接工程と、
を有することを特徴としたスリーブ管隅肉溶接方法。
【請求項２】
前記第２溶接工程は、前記第１溶接工程から途切れること無く連続して行うことを特徴とした請求項１記載のスリーブ管隅肉溶接方法。
【請求項３】
前記第１溶接工程と前記第２溶接工程における溶接は、周方向に沿って移動しながら管端を溶接する自動溶接機で行うことを特徴とした請求項１又は２に記載のスリーブ管隅肉溶接方法。
【請求項４】
本管と、
前記本管の一部分を所定の間隔を空けて覆う略同心のスリーブ管と、
前記本管の外周面上で且つ当該外周面と前記スリーブ管の少なくとも一方の管端との環状の溶接箇所に、該管端に対して所定の間隔を空けて周方向に沿って設けた環状のビードと、
前記溶接箇所で前記本管の外周面と前記スリーブ管の前記管端と前記ビードとを周方向に沿って溶接した第１溶接部と、
前記溶接箇所で且つ少なくとも前記第１溶接部の径方向外側で前記本管側と前記スリーブ管側とを周方向に沿って溶接した第２溶接部と、
を有することを特徴とした配管。
【発明の詳細な説明】
【技術分野】
【０００１】
本発明は、鋼製の配管と、この配管を補修する際のスリーブ管隅肉溶接方法と、に関する。
【背景技術】
【０００２】
従来、この種の配管と、配管の管端を溶接する自動溶接機と、が知られている。その自動溶接機としては、例えば下記の特許文献１に開示されている。この自動溶接機は、ガイドレールに沿って溶接トーチを配管の周方向に移動させながら、その管端を周方向へと順次溶接していくものである。
【先行技術文献】
【特許文献】
【０００３】
【特許文献１】特開２０１０−２４７１６３号公報
【発明の概要】
【発明が解決しようとする課題】
【０００４】
ところで、既設の配管は、例えば経年変化等によって耐久性の低下の要因が発生し始め、そのまま放置しておくと、耐久性が低下してしまう可能性がある。この不都合を回避する為には、配管の交換と配管における耐久性の低下の要因が発生している箇所の補修の二通りの方法がある。しかしながら、配管の一部又は全部が地中や構造物内に埋設されている場合、その交換は、容易ではない。これが為、この場合には、その配管の補修が必要になる。例えば、従来は、その配管における耐久性の低下の要因が発生している箇所を鋼製のスリーブ管で覆い、このスリーブ管の夫々の管端を周方向に沿って配管の外周面に一周以上溶接することで、その箇所の耐久性が低下してしまったとしても、そこからの配管内の流体の漏出を防いでいる。
【０００５】
従来、その管端の溶接は、作業者が手動で行う場合と上記特許文献１の如き自動溶接機を用いて行う場合とに分けられる。その自動溶接機は、溶接箇所が狭隘であり、作業者の手や溶接装置が溶接箇所に届かない場合に使われる。しかしながら、その配管とスリーブ管との開先における隙間が大きくなっている場合には、自動溶接機を用いたとしても、そして、その溶接箇所の広さに合わせた専用の溶接トーチを用意したとしても、その隙間を完全に塞ぐことができず、溶接の品質を確保できない可能性がある。
【０００６】
そこで、本発明は、かかる従来例の有する不都合を改善し、スリーブ管による補修が高品質に行われるスリーブ管隅肉溶接方法及び配管を提供することを、その目的とする。
【課題を解決するための手段】
【０００７】
上記目的を達成する為、本発明に係るスリーブ管隅肉溶接方法は、本管の一部分を覆う略同心のスリーブ管を当該本管に対して溶接するスリーブ管隅肉溶接方法であって、前記本管の外周面上で且つ当該外周面と前記スリーブ管の少なくとも一方の管端との環状の溶接箇所に周方向に沿って環状のビードを設ける工程と、前記スリーブ管の前記管端と前記ビードとの間に所定の間隔を空け且つ前記本管の外周面と前記スリーブ管の内周面との間に所定の間隔を空けて当該スリーブ管を配置する工程と、前記溶接箇所で前記本管の外周面と前記スリーブ管の前記管端と前記ビードとを周方向に沿って溶接する第１溶接工程と、前記溶接箇所で且つ少なくとも前記第１溶接工程で作られた溶接部の径方向外側で前記本管側と前記スリーブ管側とを周方向に沿って溶接する第２溶接工程と、を有することを特徴としている。
【０００８】
ここで、前記第２溶接工程は、前記第１溶接工程から途切れること無く連続して行うことが望ましい。
【０００９】
また、前記第１溶接工程と前記第２溶接工程における溶接は、周方向に沿って移動しながら管端を溶接する自動溶接機で行うことが望ましい。
【００１０】
また、上記目的を達成する為、本発明に係る配管は、本管と、前記本管の一部分を所定の間隔を空けて覆う略同心のスリーブ管と、前記本管の外周面上で且つ当該外周面と前記スリーブ管の少なくとも一方の管端との環状の溶接箇所に、該管端に対して所定の間隔を空けて周方向に沿って設けた環状のビードと、前記溶接箇所で前記本管の外周面と前記スリーブ管の前記管端と前記ビードとを周方向に沿って溶接した第１溶接部と、前記溶接箇所で且つ少なくとも前記第１溶接部の径方向外側で前記本管側と前記スリーブ管側とを周方向に沿って溶接した第２溶接部と、を有することを特徴としている。
【発明の効果】
【００１１】
本発明に係るスリーブ管隅肉溶接方法及び配管は、ビードを予め本管の外周面上に設けておくことで、本管の外周面とスリーブ管の管端との間隔を狭めることができる。従って、このスリーブ管隅肉溶接方法及び配管に依れば、その本管の外周面とスリーブ管の管端との溶接箇所において、本管の外周面とスリーブ管の管端とビードとの間の安定した初層溶接（即ち初層となる第１溶接部の形成）が可能になる。よって、このスリーブ管隅肉溶接方法及び配管においては、２層目又はそれ以降の第２溶接部の形成も安定化させることができ、その溶接箇所が手作業での溶接を行い難い場所であっても、この溶接箇所における溶接品質の向上が可能になり、スリーブ管による本管の補修を高品質に行うことができる。
【図面の簡単な説明】
【００１２】
【図１】図１は、実施例におけるスリーブ管隅肉溶接方法及び配管について説明する工程図である。
【図２】図２は、ビードの成形工程について説明する図である。
【図３】図３は、スリーブ管の成形工程と配置工程について説明する図である。
【図４】図４は、第１溶接工程について説明する図である。
【図５】図５は、１層目の第２溶接工程について説明する図である。
【図６】図６は、２層目の第２溶接工程について説明する図である。
【図７】図７は、３層目の第２溶接工程について説明する図である。
【図８】図８は、ビード並びに上進側及び下進側の溶接部について説明する図である。
【発明を実施するための形態】
【００１３】
以下に、本発明に係るスリーブ管隅肉溶接方法及び配管の実施例を図面に基づいて詳細に説明する。尚、この実施例によりこの発明が限定されるものではない。
【００１４】
［実施例］
本発明に係るスリーブ管隅肉溶接方法及び配管の実施例を図１から図８に基づいて説明する。
【００１５】
ここで例示する図１の配管１０は、鋼製の流体配管であり、その内部を通る流体の供給を行うものである。この配管１０は、その一部分又は全部が橋等の構造物１００に埋設されている。
【００１６】
設置された配管１０は、その状態が定期的に非破壊検査や作業者の目視等によって検査される。そして、その検査の結果、配管１０の或る部分において耐久性の低下の要因が検知された場合には、その耐久性低下箇所Ｃの補修又は交換が必要になる。
【００１７】
ここで、図１の上図に示す様に、その耐久性低下箇所Ｃが構造物１００の橋脚部における埋設箇所の近くに存在しており、配管１０の交換による対応が難しい場合がある。この場合には、その配管（以下、「本管」と云う。）１０における耐久性低下箇所Ｃが含まれる一部分を鋼製のスリーブ管２０で覆って溶接し、この本管１０とスリーブ管２０との隙間を埋めることによって、この本管１０の補修を行う（図１の下図）。これにより、その本管１０とスリーブ管２０とを有する配管は、今後、その耐久性低下箇所Ｃにおける耐久の低下が進んだとしても、内部を流れる流体の外部への漏れを防ぐことができる。また、この配管は、万が一既に本管１０に穴が空いていたならば、これを塞ぎ、流体の外部への漏れを防ぐことができる。
【００１８】
以下、その補修の工程について具体的に説明する。
【００１９】
先ず、この補修工程には、本管１０の外周面上で且つ当該外周面とスリーブ管２０の少なくとも一方の管端との環状の溶接箇所に周方向に沿って環状のビード３０を設ける工程（図１の上から２番目の図）と、本管１０にスリーブ管２０を配置する工程（図１の上から３番目の図）と、が含まれる。
【００２０】
ビード３０は、本管１０の外周面上におけるスリーブ管２０の両方の管端の溶接箇所に各々設けてもよいが、少なくとも作業者の手作業による溶接が行えない又は行い難い方に設ける。この例示では、図１の上から３番目の図に示す様に、一方の管端２１が構造物１００に対して距離が近く、手作業による溶接が行い難いので、本管１０の外周面上における管端２１との溶接箇所にビード３０を設ける。これに対して、他方の管端２２は、構造物１００から離れており、手作業による溶接が行える。これが為、この他方の管端２２については、作業者に手作業で溶接させる。また、この他方の管端２２は、所定の条件を満たすのであれば（例えば、本管１０とスリーブ管２０との隙間が狭く、自動溶接機での自動溶接が可能な場合）、自動溶接を行ってもよい。
【００２１】
ビード３０は、鋼製の環状体を本管１０の外周面上に溶接等で一体化することで設けてもよく、本管１０の外周面上に成形していくことで設けてもよい。この例示においては、本管１０の耐久性低下箇所Ｃの近くに自由端が無く、環状体を本管１０に嵌め込むことができない。これが為、この例示では、後者を採用する。
【００２２】
このビード３０としては、本管１０の外周面上に溶接作業を行うことによって設けられる余盛を利用する。このビード３０を設ける工程（以下、「ビード３０の成形工程」と云う。）においては、本管１０の外周面上で周方向に沿った溶接が可能な自動溶接機１２０でビード３０を成形する（図２）。その自動溶接機１２０には、例えば前述した特許文献１の自動溶接機を用いる。尚、図２では、便宜上、溶接トーチ１２１等の要部のみを図示している。
【００２３】
作業者は、本管１０の外周面におけるスリーブ管２０の両方の管端との溶接箇所をグラインダ（図示略）等で研削又は研磨してから、ビード３０の成形工程に入る。
【００２４】
ビード３０の成形工程において、作業者は、本管１０の外周面上に自動溶接機１２０を設置し、管端２１との溶接箇所に合わせてガイドレール（図示略）の位置決めを行うことで、その溶接箇所に対する溶接トーチ１２１の先端の位置を仮決めする。その後、作業者は、入力装置１２２から制御装置１２３に対してビード３０の成形指示を行う。その際、入力装置１２２からは、所定のビード高さ（余盛高さ）となるように制御指示が行われる。これにより、自動溶接機１２０は、溶接トーチ１２１の先端の位置を自動制御し、この溶接トーチ１２１をガイドレールに沿って本管１０の周方向に少なくとも１周移動させながら、その本管１０の外周面上に環状のビード３０を成形する。このビード３０の成形工程は、ビード３０を作り終えた後、作業者が自動溶接機１２０を撤去することで終了する。
【００２５】
ここで、その所定のビード高さは、本管１０とスリーブ管２０との径方向における隙間の大きさに応じて決める。この所定のビード高さは、その隙間が大きいほど高くする。
【００２６】
スリーブ管２０は、本管１０における耐久性低下箇所Ｃが含まれる一部分を所定の間隔を空けて覆う略同心のものである。このスリーブ管２０は、本管１０の耐久性低下箇所Ｃの近くに自由端が存在しているならば、そこから挿入して所定の位置に配置してもよい。しかしながら、この例示では、本管１０の耐久性低下箇所Ｃの近くに自由端が無く、スリーブ管２０を挿入することができない。そこで、この例示では、このスリーブ管２０を軸線方向に沿った複数の分割体（この例示では２つの分割体２０ａ，２０ｂ）に分割し、その夫々の分割体２０ａ，２０ｂで本管１０を径方向外側から覆い、この夫々の分割体２０ａ，２０ｂの繋ぎ目を溶接することで、筒状のスリーブ管２０を成形する（図３）。つまり、この例示のスリーブ管２０を配置する工程（以下、「スリーブ管２０の配置工程」と云う。）には、所定の位置への配置の前に、このスリーブ管２０を本管１０の外周面上で複数の分割体２０ａ，２０ｂから成形する成形工程が含まれている。
【００２７】
作業者は、そのスリーブ管２０の成形工程において、複数の分割体２０ａ，２０ｂを本管１０の外周面上に被せる（図３の上図）。その分割体２０ａ，２０ｂは、互いに分離しないよう固定治具（チェーンブロック（図示略）等）で固定する。その固定の際、作業者は、分割体２０ａと分割体２０ｂとの夫々の繋ぎ目の隙間をスリーブ管２０の内径に合わせて調整する。更に、作業者は、本管１０とスリーブ管２０との径方向の隙間を所定の間隔にするべく、本管１０と分割体２０ａ，２０ｂとの間の複数箇所に矢板（図示略）等を挿入する。そして、作業者は、ＴＩＧ溶接機等の手動溶接機を用いて、その繋ぎ目を手作業で溶接する（図３の中図）。その繋ぎ目の溶接は、軸線方向への溶接が可能な自動溶接機で行ってもよい。
【００２８】
作業者は、スリーブ管２０の成形を終えると、このスリーブ管２０を本管１０の外周面上の所定の位置まで移動させる（図３の下図）。その所定の位置とは、管端２１とビード３０との間に所定の間隔が空く位置である。その所定の間隔とは、その管端２１とビード３０とが溶接不良にならない間隔、つまり管端２１と本管１０とが溶接不良にならない間隔のことである。その移動の際には、本管１０の外周面とスリーブ管２０の内周面との間に所定の間隔が空くようにする。作業者は、この様にして、本管１０に対するスリーブ管２０の配置を行う。
【００２９】
以上示したビード３０の成形工程とスリーブ管２０の成形工程は、どちらを先に実施してもよい。但し、スリーブ管２０の存在によってビード３０の成形ができない場合又はビード３０を成形しにくい場合、スリーブ管２０の成形工程は、ビード３０の成形工程を終えた後で実施する。
【００３０】
次に、この補修工程には、その配置を終えたスリーブ管２０の管端２１と本管１０の外周面とビード３０とを周方向に沿って溶接する第１溶接工程が存在する。また、この補修工程には、その第１溶接工程の後に本管１０側とスリーブ管２０側とを周方向に沿って溶接する第２溶接工程も存在する。
【００３１】
第１溶接工程では、本管１０と管端２１との溶接箇所において、本管１０の外周面とスリーブ管２０の管端２１とビード３０とを周方向に沿って溶接した第１溶接部４１が形成される（図４）。この第１溶接工程においては、その溶接箇所での溶接を少なくとも１周行うので、環状の第１溶接部４１が形成される。
【００３２】
一方、第２溶接工程では、その溶接箇所で且つ少なくとも第１溶接部４１の径方向外側において、本管１０側とスリーブ管２０側とを周方向に沿って溶接した第２溶接部４２が少なくとも１層形成される（図５〜７）。つまり、この第２溶接工程では、１層よりも多く第２溶接部４２を形成する場合、本管１０側とスリーブ管２０側とを周方向に沿って積層させながら溶接していく。その際、この第２溶接工程においては、下層の環状の第２溶接部４２の形成を終えた後、始端を新たにして上層の第２溶接部４２が形成されるものであってもよく、下層の環状の第２溶接部４２の終端をそのまま始端にして、この下層の第２溶接部４２から途切れること無く続けて上層の第２溶接部４２が形成されるものであってもよい。この例示では、後者を採用している（図８）。
【００３３】
この例示では、３層の第２溶接部４２Ａ，４２Ｂ，４２Ｃを形成する。１層目の第２溶接部４２Ａは、第１溶接部４１の径方向外側で少なくとも当該第１溶接部４１に積層させ、本管１０側とスリーブ管２０側とを溶接する。具体的に、この第２溶接部４２Ａは、スリーブ管２０の管端２１とビード３０と第１溶接部４１とを溶接することで、本管１０側とスリーブ管２０側との溶接を行う。また、２層目の第２溶接部４２Ｂは、管端２１と１層目の第２溶接部４２Ａとを溶接することで、本管１０側とスリーブ管２０側との溶接を行う。また、３層目の第２溶接部４２Ｃは、管端２１と２層目の第２溶接部４２Ｂとを溶接することで、本管１０側とスリーブ管２０側との溶接を行う。
【００３４】
ここで、１層目の第２溶接部４２Ａは、第１溶接部４１の形成を終えた後、始端を新たにして形成されるものであってもよく、第１溶接部４１の終端をそのまま始端にして、第１溶接部４１から途切れること無く続けて形成されるものであってもよい。この例示では、後者を採用する。従って、第２溶接工程は、第１溶接工程から途切れること無く連続して実施される。
【００３５】
この様に、この例示の溶接箇所においては、最大４層の溶接部（第１溶接部４１及び第２溶接部４２Ａ，４２Ｂ，４２Ｃ）によって本管１０とスリーブ管２０の一方の管端２１を溶接する。この第１及び第２の溶接工程では、ビード３０の成形に用いた自動溶接機１２０を利用して、第１溶接部４１及び第２溶接部４２Ａ，４２Ｂ，４２Ｃの形成を行う。具体的には、図８に示す様に、下進側４層（第１溶接部４１及び第２溶接部４２Ａ，４２Ｂ，４２Ｃ）の溶接を行い、且つ、上進側３層（第１溶接部４１及び第２溶接部４２Ａ，４２Ｂ）の溶接を行う。
【００３６】
作業者は、スリーブ管２０の本管１０への配置を終えた後、このスリーブ管２０の外周面上に自動溶接機１２０を設置し、本管１０と管端２１との溶接箇所に合わせてガイドレールの位置決めを行うことで、その溶接箇所に対する溶接トーチ１２１の先端の位置を仮決めする。その後、作業者は、その溶接箇所における溶接指示を入力装置１２２から制御装置１２３に対して行う。その際、入力装置１２２からは、例えば、本管１０の外周面とスリーブ管２０の内周面との間の径方向の隙間、管端２１とビード３０との隙間、スリーブ管２０の肉厚等の情報が入力される。これにより、自動溶接機１２０は、第１溶接工程を開始する。この第１溶接工程において、自動溶接機１２０は、溶接トーチ１２１の先端の位置を自動制御し、この溶接トーチ１２１をガイドレールに沿ってスリーブ管２０の周方向に移動させながら、その溶接箇所で本管１０の外周面とスリーブ管２０の管端２１とビード３０とを周方向に沿って溶接して、環状の第１溶接部４１を形成する（図４）。
【００３７】
この自動溶接機１２０は、この第１溶接工程に続けて第２溶接工程に入る。
【００３８】
その第２溶接工程において、自動溶接機１２０は、溶接トーチ１２１の先端の位置を自動制御で径方向外側に移動させ、且つ、この溶接トーチ１２１をガイドレールに沿ってスリーブ管２０の周方向に移動させながら、第１溶接工程の第１溶接部４１に続く１層目の第２溶接部４２Ａを形成し始める。この自動溶接機１２０は、溶接トーチ１２１の先端の位置を第１溶接部４１の高さ分だけ径方向外側に移動させ終えた後、この先端の位置を保持したまま溶接トーチ１２１をガイドレールに沿ってスリーブ管２０の周方向に移動させながら、スリーブ管２０の管端２１とビード３０と第１溶接部４１とを周方向に沿って溶接して、１層目の環状の第２溶接部４２Ａを形成する（図５）。
【００３９】
この自動溶接機１２０は、第２溶接部４２Ａの形成を終えた後、溶接トーチ１２１の先端の位置を自動制御で再び径方向外側に移動させ、且つ、この溶接トーチ１２１をガイドレールに沿ってスリーブ管２０の周方向に移動させながら、１層目の第２溶接部４２Ａに続く２層目の第２溶接部４２Ｂを形成し始める。この自動溶接機１２０は、溶接トーチ１２１の先端の位置を第２溶接部４２Ａの高さ分だけ径方向外側に移動させ終えた後、この先端の位置を保持したまま溶接トーチ１２１をガイドレールに沿ってスリーブ管２０の周方向に移動させながら、スリーブ管２０の管端２１と１層目の第２溶接部４２Ａとを周方向に沿って溶接して、２層目の環状の第２溶接部４２Ｂを形成する（図６）。
【００４０】
この自動溶接機１２０は、第２溶接部４２Ｂの形成を終えた後、溶接トーチ１２１の先端の位置を自動制御で再び径方向外側に移動させ、且つ、この溶接トーチ１２１をガイドレールに沿ってスリーブ管２０の周方向に移動させながら、２層目の第２溶接部４２Ｂに続く３層目の第２溶接部４２Ｃを形成し始める。この自動溶接機１２０は、溶接トーチ１２１の先端の位置を第２溶接部４２Ｂの高さ分だけ径方向外側に移動させ終えた後、この先端の位置を保持したまま溶接トーチ１２１をガイドレールに沿ってスリーブ管２０の周方向に移動させながら、スリーブ管２０の管端２１と２層目の第２溶接部４２Ｂとを周方向に沿って溶接して、３層目の半環状の第２溶接部４２Ｃを形成する（図７）。
【００４１】
作業者は、この様にして、第１溶接工程と第２溶接工程とによるスリーブ管２０の隅肉溶接を終えた後、自動溶接機１２０を撤去する。第１溶接工程と第２溶接工程は、その自動溶接機１２０の撤去によって終了する。
【００４２】
この配管においては、本管１０とスリーブ管２０の他方の管端２２との間に隙間が残っている。前述した様に、この例示では、その本管１０と管端２２とを作業者の手作業によって溶接する。この補修工程においては、その溶接に関する第３溶接工程が存在する。この第３溶接工程において、作業者は、ＴＩＧ溶接機等の手動溶接機又は自動溶接機を用いて、本管１０の外周面と管端２２とを手作業又は自動溶接で溶接する。
【００４３】
これら全ての工程を実施することで、この配管の補修作業が終わる。
【００４４】
以上示した様に、本実施例の配管には、本管１０の外周面上で且つ当該外周面とスリーブ管２０の管端２１との環状の溶接箇所に、その管端２１に対して所定の間隔を空けて周方向に沿って設けた環状のビード３０が形成されている。更に、この配管は、その溶接箇所で本管１０の外周面とスリーブ管２０の管端２１とビード３０とを周方向に沿って溶接した第１溶接部４１と、その溶接箇所で且つ少なくとも第１溶接部４１の径方向外側で本管１０側とスリーブ管２０側とを周方向に沿って溶接した第２溶接部４２Ａ，４２Ｂ，４２Ｃと、が形成されている。また、本実施例のスリーブ管隅肉溶接方法においては、本管１０の外周面上で且つ当該外周面とスリーブ管２０の管端２１との環状の溶接箇所に周方向に沿って環状のビード３０を設ける工程と、その管端２１とビード３０との間に所定の間隔を空け且つ本管１０の外周面とスリーブ管２０の内周面との間に所定の間隔を空けて当該スリーブ管２０を配置する工程と、その溶接箇所で本管１０の外周面とスリーブ管２０の管端２１とビード３０とを周方向に沿って溶接する第１溶接工程と、その溶接箇所で且つ少なくとも第１溶接工程で作られた溶接部（第１溶接部４１）の径方向外側で本管１０側とスリーブ管２０側とを周方向に沿って溶接する第２溶接工程と、を有している。つまり、このスリーブ管隅肉溶接方法及び配管に依れば、ビード３０を予め本管１０の外周面上に設けておくことで、本管１０の外周面とスリーブ管２０の管端２１との間隔を狭めることができる。従って、このスリーブ管隅肉溶接方法及び配管に依れば、その本管１０の外周面とスリーブ管２０の管端２１との溶接箇所において、本管１０の外周面とスリーブ管２０の管端２１とビード３０との間の安定した初層溶接（即ち初層となる第１溶接部４１の形成）が可能になる。よって、このスリーブ管隅肉溶接方法及び配管においては、２層目以降の第２溶接部４２Ａ，４２Ｂ，４２Ｃの形成も安定化させることができ、その溶接箇所が手作業での溶接を行い難い場所であっても、この溶接箇所における溶接品質の向上が可能になり、スリーブ管２０による本管１０の補修を高品質に行うことができる。
【符号の説明】
【００４５】
１０  本管
２０  スリーブ管
２０ａ，２０ｂ  分割体
２１，２２  管端
３０  ビード
４１  第１溶接部
４２，４２Ａ，４２Ｂ，４２Ｃ  第２溶接部
１００  構造物
１２０  自動溶接機
１２１  溶接トーチ
Ｃ  耐久性低下箇所
【図１】
0005956394.tif 000002
【図２】
0005956394.tif 000003
【図３】
0005956394.tif 000004
【図４】
0005956394.tif 000005
【図５】
0005956394.tif 000006
【図６】
0005956394.tif 000007
【図７】
0005956394.tif 000008
【図８】
0005956394.tif 000009